(57)【要約】【課題】駐車券を交換し、駐車料金をごまかす不正の摘発をする。【解決手段】入場時、駐車券発行機で発行した駐車券の駐車券番号を記録し、画像処理装置が撮像認識した車番を記録する。出場時、料金精算機で読み取った駐車券の駐車券番号から当該駐車券を発行した時点の入口で撮像した車両の車番と、出口車番カメラにより撮像している車両の車番とを画像処理装置から受け一致しているかを判定する。一致している場合は料金精算機に精算処理開始をさせる。不一致の場合は少なくとも出口車番カメラにより撮像している出場車番の車両について入場時に発行した駐車券番号と、料金精算機が読み取った駐車券番号を発行した車両の車番を出力し、プリントアウトする。【選択図】  図1
2008033859.tif 000002
【特許請求の範囲】
【請求項１】
入場車両を撮像する入口車番カメラと、入場時に駐車券を発行する駐車券発行機と、
出場車両を撮像する出口車番カメラと、出場時に駐車券から記録してある駐車券番号を読み取る料金精算機と、
前記入口車番カメラにより撮像認識した車両の車番を含む画像を保存し、前記出口車番カメラにより撮像した車両の車番を認識する画像処理装置と、
前記駐車券発行機で発行した駐車券の駐車券番号を記録し、前記画像処理装置が撮像認識した車番を記録し、前記料金精算機で読み取った駐車券の駐車券番号から当該駐車券を発行した時点の入口で撮像した車両の車番と、出口車番カメラにより撮像している車両の車番とを画像処理装置から受け一致しているかを判定し、一致している場合は料金精算機に精算処理開始をさせ、不一致の場合は少なくとも出口車番カメラにより撮像している出場車番の車両について入場時に発行した駐車券番号と、料金精算機が読み取った駐車券番号を発行した車両の車番を出力する管理計算機とからなることを特徴とする駐車場管理システム。
【発明の詳細な説明】
【技術分野】
【０００１】
本発明は、駐車場において仲間と示し合わせて互いの車両の駐車券を交換し、駐車料金をごまかそうとする不正の摘発を可能にする駐車場管理システムに関するものである。
【背景技術】
【０００２】
駐車場において、出庫前に入場してきた他人の車両の駐車券を使用して精算し、正当な駐車料金を支払わない不正が行われることがある。
しかしながら、駐車券を交換した不正の証拠として利用者に提示できる手段がなく、見逃さざるを得ない状況となる場合が多かった。
【発明の開示】
【発明が解決しようとする課題】
【０００３】
本発明が解決しようとする課題は、駐車券を交換し、駐車料金をごまかす不正の摘発をすることができない点である。
【課題を解決するための手段】
【０００４】
本発明は、駐車場管理システムに係り、入場車両を撮像する入口車番カメラと、入場時に駐車券を発行する駐車券発行機と、出場車両を撮像する出口車番カメラと、出場時に駐車券から記録してある駐車券番号を読み取る料金精算機と、前記入口車番カメラにより撮像認識した車両の車番を含む画像を保存し、前記出口車番カメラにより撮像した車両の車番を認識する画像処理装置と、前記駐車券発行機で発行した駐車券の駐車券番号を記録し、前記画像処理装置が撮像認識した車番を記録し、前記料金精算機で読み取った駐車券の駐車券番号から当該駐車券を発行した時点の入口で撮像した車両の車番と、出口車番カメラにより撮像している車両の車番とを画像処理装置から受け一致しているかを判定し、一致している場合は料金精算機に精算処理開始をさせ、不一致の場合は少なくとも出口車番カメラにより撮像している出場車番の車両について入場時に発行した駐車券番号と、料金精算機が読み取った駐車券番号を発行した車両の車番を出力する管理計算機とからなることを特徴とするものである。
【発明の効果】
【０００５】
本発明によると、出口で撮像された車両の車番と駐車券から読み取った駐車券番号を発行した入口で撮像しておいて車両の車番との一致を見て、不一致の場合には、出口にいる車両について入場時に発行した駐車券番号と出口における駐車券から読み取った駐車券番号を発行した車両の車番とを出力するから、不正を行った利用者にその場で証拠を示すことができる。
【実施例１】
【０００６】
図１は本発明に係る駐車場管理システムの一実施例の機能ブロック図であり、１０１は入口車番カメラ、１０２は駐車券発行機、１０３は駐車券、１０４は出口車番カメラ、１０５は料金精算機、１０６は画像処理装置、１０６１は車番認識部、１０６２は車番記録部、１０７は管理計算機、１０７１は駐車券番号記録部、１０７２は車番判定部、１０８はプリンタである。
入口車番カメラ１０１は駐車場入口に備えられ、入場車両を撮像する。駐車券発行機１０２は駐車場入口に備えられ、駐車券を発行する。駐車券１０３は駐車料金精算のために入場年月日として発行年月日、入場時刻として発行時刻、駐車券番号が磁気記録される。
出口車番カメラ１０４は駐車場出口に備えられ、出場車両を撮像する。料金精算機１０５は駐車場出口に備えられ、利用者から挿入された駐車券１０３のデータを読み取り精算処理をする。
画像処理装置１０７は、車番認識部１０６１、車番記録部１０６２をその一部として構成し、入口車番カメラ１０１及び出口車番カメラ１０４が撮像した入場又は出場しようとする車両の画像を処理し、車番認識部１０６１において車番を認識し、車番記録部１０６２にその車番を含む車両の画像を保存する。
管理計算機１０７は、駐車券番号記録部１０７１、車番判定部１０７２をその一部として構成し、駐車券発行機１０２で発行した駐車券１０３の駐車券番号を含む駐車券データを駐車券番号記録部１０７１に記録させるとともに読み出し、前記車番認識部１０６１が認識した車番を記録し、前記料金精算機１０５において読み取った駐車券番号から当該駐車券を発行した時点の入口で撮像した車両の車番を読み出し、その車番と出口車番カメラ１０４により撮像している車両の車番とが一致しているかを車番判定部１０７２により判定させる。一致している場合は料金精算機１０５に精算処理開始をさせ、不一致の場合は、出口車番カメラ１０４により撮像している出場車番に対して発行した駐車券の駐車券データとして入場レーン、駐車券番号、入場年月日、入場時刻及び車番を駐車券番号記録部１０７１から読み出し、当該駐車券を発行した入場時の車両の画像を車番記録部１０６２から読み出し、さらに、出場しようとする車両の利用者が使用した駐車券についてその駐車券データとして入場レーン、駐車券番号、入場年月日、入場時刻及び車番を駐車券番号記録部１０７１から読み出し、当該駐車券を発行した入場時の車両の画像を車番記録部１０６２から読み出し出力する。
プリンタ１０８は、管理計算機１０７から出力される出場車番に発行した駐車券データとその入場時車両画像及び出場車番が使用した駐車券データとその入場時車両画像をプリントする。
【０００７】
入場車両が入口の図示しないゲートの前に来ると図示しない車両感知器が当該車両を感知し入口車番カメラ１０１が車体を撮像する。一方、駐車券発行機１０２は駐車券番号及び発行年月日時刻を磁気記録した駐車券１０３を発行し、前記車両の利用者に当該駐車券を抜き取るように促す。
入口車番カメラ１０１が撮像した入場車両の画像は、画像処理装置１０６に送られる。車番認識部１０６１は、画像から車番部分を抽出し、その車番を認識し、入場車両の画像及び車番部分の画像を車番記録部１０６２に記録保存する。
駐車券発行機１０２からの駐車券番号は、管理計算機１０７の駐車券番号記録部１０７１に記録される。さらに駐車券番号記録部１０７１には、前記車番認識部１０６１で認識した車番、入場レーン、入場年月日、入場時刻が駐車券番号と関連付けて記録される。
他の車両、他の入場レーンについても同様に処理される。
【０００８】
出口において利用者が車両を運転して図示しないゲートに来ると図示しない車両感知器が当該車両を感知し出口車番カメラ１０４が車体を撮像する。ゲート近傍に設置された料金精算機１０５は利用者に駐車券を挿入するように告知し、挿入された駐車券１０３の駐車券番号を読み取る。
出口車番カメラ１０４が撮像した入場車両の画像は、画像処理装置１０６に送られる。車番認識部１０６１は、画像から車番部分を抽出し、その車番を認識し、出場車両の画像及び車番部分の画像を車番記録部１０６２に記録保存する。
料金精算機１０５からの駐車券番号は、管理計算機１０７の駐車券番号記録部１０７１に記録される。そして、その駐車券番号により車番記録部１０６２を検索し、それに関連付けて記録されている車番を読み取る。車番判定部１０７２は、車番認識部１０６１が認識した車番と車番記録部１０６２を駐車券番号により検索して得た車番とが一致しているかを判定する。
一致している場合は、料金精算機１０５より精算処理を続けさせる。
【０００９】
例えば、図２に示すように、現在出口に到来しているＡ車が出場しようとする比較的短時間前に入場したＢ車の駐車券ＢをＡ車の利用者が受け取りこれをＡ車の出場の際に使用した場合は、車番判定部１０７２は、車番認識部１０６１が認識した車番と車番記録部１０６２を駐車券番号により検索して得た車番とが一致していないと判定する。
一致していない場合は、駐車券番号記録部１０７１から、出場車Ａの車番Ａに発行した駐車券データ及び車番を含む車体画像を読み出し、さらに出場車Ａが使用した駐車券Ｂの駐車券データ及び車番を含む車体画像を読み出し出力するとともに駐車場管理係員のための警報を発する。駐車券データは入場レーン、駐車券番号、入場年月日、入場時刻及び車番を含む。
プリンタ１０８はこれら読み出された駐車券データ及び車番を含む車体画像を印刷する。図３に印刷例を示す。
管理係員は、警報を受け、印刷された帳票を証拠として持参することで、正しい駐車券を使用することを促すことが可能となる。
【図面の簡単な説明】
【００１０】
【図１】本発明に係る駐車場管理システムの一実施例の機能ブロック図である。
【図２】不正出場のタイミングを説明する図である。
【図３】印刷帳票の例を示す図である。
【符号の説明】
【００１１】
１０１…入口車番カメラ、１０２…駐車券発行機、１０３…駐車券、１０４…出口車番カメラ、１０５…料金精算機、１０６…画像処理装置、１０６１…車番認識部、１０６２…車番記録部、１０７…管理計算機、１０７１…駐車券番号記録部、１０７２…車番判定部、１０８…プリンタ。
【図１】
2008033859.tif 000003
【図２】
2008033859.tif 000004
【図３】
2008033859.tif 000005